(57)【特許請求の範囲】
【請求項１】
嫌気濾床槽にて夾雑物の大部分を担体に付着して流入汚水から予め分離してから、その汚水を担体流動槽に送り込み、担体流動槽内をばっ気して担体を流動させ、それら担体に付着した生物膜と汚水を接触させて夾雑物を除去し、さらに汚水を生物濾過槽に移流して槽内を下向きに流し、その生物濾過槽内に充填した担体で濾過して夾雑物を捕捉・処理し、その処理水の一部を処理水槽に貯留する一方、外部へ放流する汚水処理浄化槽において、
前記生物濾過槽を、上部側で前記担体流動槽と連通する一方、底部側で前記処理水槽と連通させて設け、内部に担体を充填した濾過槽部と、一定水位になると濾過槽部から汚水が入り込む位置に逆洗水移流口をあけて有底管状に形成するさや管部とで構成し、
該さや管部内に挿入垂設して下端に吸水口を有する吸上げ管と、その吸上げ管の上端に連結し、担体流動槽内で担体を洗浄するとき、前記吸水口から汚水を吸い上げて生物濾過槽と処理水槽との間で水位差を生じさせ、その水位差により処理水を前記濾過槽部内に導入して上向きの流れをつくるポンプ装置と、を備えたことを特徴とする汚水処理浄化槽。
【請求項２】
前記生物濾過槽を浄化槽本体に対し着脱自在に取り付けて上下に出し入れ可能としたことを特徴とする請求項１に記載の汚水処理浄化槽。
【請求項３】
前記処理水槽に、前記生物濾過槽で捕捉・処理仕切れず槽内で沈殿する微細な夾雑物を槽底側へ案内するホッパを設置したことを特徴とする請求項１または２に記載の汚水処理浄化槽。
【発明の詳細な説明】
【０００１】
【発明の属する技術分野】
この発明は、流入した汚水を、担体（濾材）を投入した複数の処理槽内を順次通過させて、担体に付着した生物膜により汚水に含む夾雑物を分離・処理して浄化する、汚水処理浄化槽に係る技術分野に属する。
【０００２】
【従来の技術】
従来、この種の汚水処理浄化槽の中には、たとえば図４に示すように、浄化槽本体１に設ける図中左の流入管１ａと右の流出管１ｂとの間に、それぞれ担体を多数投入した、第１嫌気濾床槽２と第２嫌気濾床槽３を左右に並設するとともに担体流動槽４と生物濾過槽５を上下に配設し、さらに担体流動槽４と生物濾過槽５の右横に処理水槽６と消毒槽７を上下に配設する構成としたものがある。
【０００３】
この汚水処理浄化槽では、図５に示すように、担体流動槽４の底部に、送風機ｆと連結した散気管ｇを備え、上部に、洗浄用エアリフトポンプｐを備える。そして、エアリフトポンプｐに、図４に示すように挿入垂設した吸上げ管ｈの上端を連結し、その吸上げ管に、先端を第１嫌気濾床槽２の上側に向けて配管した移流管ｉを接続している。
【０００４】
そして、図４中矢示するように、流入管１ａから汚水を第１嫌気濾床槽２内に流入してから、第２嫌気濾床槽３へ流れ込ませ、各々の濾床槽２，３にて、担体に付着して夾雑物の大部分を汚水から分離し、さらに汚水を担体流動槽４へ送り込み、その担体流動槽内を散気管ｇでばっ気して担体を流動させ、それら担体に付着した生物膜と汚水を接触させて夾雑物を除去し、さらに汚水を生物濾過槽５に移流して槽内を下向きに流し、その槽内に充填した担体で濾過して夾雑物を捕捉・処理し、その処理水の一部を処理水槽６に貯留する一方、消毒槽７に移流して滅菌し、流出管１ｂから外部へ放流している。
【０００５】
一方、担体洗浄時は、エアリフトポンプｐを作動して吸上げ管ｈ下端の吸水口から汚水を吸引し、担体流動槽２から生物濾過槽３への下向きの流れで担体を洗浄し、洗浄後の汚水を移流管ｉを通して第１嫌気濾床槽２へ移送していた。
【０００６】
【発明が解決しようとする課題】
ところで、従来では、上述のように担体流動槽４と生物濾過槽５を上下に重ねて配設する構成のため、確かにそれだけ全体に横方向のコンパクト化を図ることはできる。しかし、担体の洗浄時は、嫌気濾床槽３から送られる処理完了前の汚水を使い、その汚水の下向きの流れで担体を洗浄するため、洗浄効果が十分に上がらず、汚水の濾過性能を良好に維持することができないという課題があった。
【０００７】
そこで、この発明の目的は、上述のような汚水処理浄化槽において、担体の洗浄効果を上げて汚水の濾過性能を常に良好に維持することにある。
【０００８】
【課題を解決するための手段】
上記目的は、請求項１に記載の発明のように、第１嫌気濾床槽Ａや第２嫌気濾床槽Ｂのような嫌気濾床槽にて夾雑物の大部分を担体ｍに付着して流入汚水から予め分離してから、その汚水を担体流動槽Ｃに送り込み、担体流動槽Ｃ内をばっ気して担体ｎを流動させ、それら担体ｎに付着した生物膜と汚水を接触させて夾雑物を除去し、さらに汚水を生物濾過槽Ｄに移流して槽内を下向きに流し、その生物濾過槽Ｄ内に充填した担体ｎで濾過して夾雑物を捕捉・処理し、その処理水の一部を処理水槽Ｅに貯留する一方、外部へ放流する汚水処理浄化槽において、前記生物濾過槽Ｄを、上部側で前記担体流動槽Ｃと連通する一方、底部側で前記処理水槽Ｅと連通させて設け、内部に担体ｎを充填した濾過槽部２４と、一定水位になると濾過槽部２４から汚水が入り込む位置に逆洗水移流口３５をあけて有底管状に形成するさや管部２５とで構成し、該さや管部２５内に挿入垂設して下端に吸水口３０ａを有する吸上げ管３０と、その吸上げ管３０の上端に連結し、担体流動槽Ｃ内で担体ｎを洗浄するとき、前記吸水口３０ａから汚水を吸い上げて生物濾過槽Ｄと処理水槽Ｅとの間で水位差を生じさせ、その水位差により処理水を前記濾過槽部２４内に導入して上向きの流れをつくるエアリフトポンプ４０のようなポンプ装置と、を備えたことにより達成される。
【０００９】
また、上記目的は、請求項２に記載の発明のように、請求項１に記載の汚水処理浄化槽において、前記生物濾過槽Ｄを浄化槽本体１０に対し着脱自在に取り付けて上下に出し入れ可能としたことにより達成される。
【００１０】
さらに、上記目的は、請求項３に記載の発明のように、請求項１または２に記載の汚水処理浄化槽において、前記処理水槽に、前記生物濾過槽で捕捉・処理仕切れず槽内で沈殿する微細な夾雑物を槽底側へ案内するホッパを設置したことにより達成される。
【００１１】
【発明の実施の形態】
以下、図面を参照しつつ、この発明に係る汚水処理浄化槽の実施の形態について説明する。
【００１２】
図1に、この汚水処理浄化槽の正面概略構成を示す。この汚水処理浄化槽は、全体に強化プラスチック製で、図中左右に横長な箱形をなす浄化槽本体１０を備える。浄化槽本体10は、その上側にマンホール蓋ａ，ｂ，ｃでそれぞれ開閉する開口を並設するとともに、図中左右の側壁上部に汚水の流入管１１と流出管１２を設ける。そして、流入管１１と流出管１２間に、互いに連通する複数の汚水処理槽、つまり、この例では第１嫌気濾床槽Ａと、第２嫌気濾床槽Ｂと、担体流動槽Ｃと、生物濾過槽Ｄと、処理水槽Ｅと、消毒槽Ｆを配設した構成とする。
【００１３】
第１嫌気濾床槽Ａと第２嫌気濾床槽Ｂは、間の縦断通路１４を介して互いに連通させて並設し、それぞれ内部に比較的比表面積の大きい嫌気用の担体（濾材）ｍを多数投入してなる。これら嫌気濾床槽には、各々上下に担体押えネット１５と担体受けネット１６を設けて担体ｍを収容している。また、第２嫌気濾床槽Ｂには、吸引配管１７を挿入垂設する。そして、定量ポンプ１８を用いて第２嫌気濾床槽Ｂ内の汚水を吸引配管１７を通して担体流動槽Ｃへ移送するようにしている。
【００１４】
担体流動槽Ｃは、上下に担体押えネット１９と受けネット２０を設けて多数の担体ｎを流動可能に収容している。担体ｎは、たとえば１０ｍｍ（吸水時１３ｍｍ）角のキューブ状ポリウレタンフォームからなる。そして、担体流動槽Ｃの底部には、図示しないが、送風機と連結したばっ気用の散気管を配設している。この担体流動槽Ｃ内の処理水槽Ｅおよび消毒槽Ｆ寄りに、生物濾過槽Ｄを設置する。
【００１５】
生物濾過槽Ｄは、図2でも示すように、図中左側において担体流動槽Ｃとの間に、上下にそれぞれ移送口２２ａを開けた縦断通路２２を形成し、その縦断通路２２を介して担体流動槽Ｃと連通する角筒状の濾過槽部２４を外側に形成する一方、濾過槽部２４の内側に細筒状のさや管部２５を形成してなる。そして、この生物濾過槽Ｄを、浄化槽本体１０に対し着脱自在に取り付けて図中上下に出し入れ可能に設置してなる。そうして、マンホール蓋ｃを開けて生物濾過槽Ｄを取り出し、修理・点検などのメンテナンスを行えるようになっている。
【００１６】
外側の濾過槽部２４は、上下に担体押えネット２６と受けネット２７を設けて、その間に担体ｎを比較的密に充填している。また、図中下側の槽底部分２４ａ内に、前記した送風機とエア供給配管２８を介して連結した逆洗管２９を配設する。そして、槽底部分２４ａを介して隣接する処理水槽Ｅと互いに連通させてなる。
【００１７】
さや管部２５は、有底丸管状に形成する。そして、濾過槽部２４内で汚水が一定水位になるとそこから汚水が入り込む位置、この例ではさや管部２５の上部側の担体押えネット２６の高さ位置に、縦長な逆洗水移流口３５を複数あけてなる。また、該さや管部２５には、下端に吸水口３０ａを有する吸上げ管３０を挿入垂設し、その吸上げ管３０の上端を、エアリフトポンプ（この発明でいう「ポンプ装置」）４０と連結している。吸上げ管３０には、図１に示すように、先端を第１嫌気濾床槽Ａの上側に向けて配管した逆洗水移流管３２を接続している。
【００１８】
処理水槽Ｅは、その下方の槽底側に、処理水中の微細な汚泥が沈殿するとき、その沈殿物を槽底へ案内するホッパ３３を設置している。なお、消毒槽Ｆには、処理水に塩素剤を接触させて滅菌を行う、消毒器３６を備える。
【００１９】
そして、上述した汚水処理浄化槽では、図１中実線で矢示するように、流入管１１から汚水を第１嫌気濾床槽Ａ内に流入させてから、縦断通路１４を通して第２嫌気濾床槽Ｂ内へ流れ込ませ、各々の濾床槽Ａ，Ｂにて、担体ｍに付着してＢＯＤ・ＣＯＤ成分等の夾雑物の大部分を汚水から分離し、さらに定量ポンプ１８で汚水吸引管１７を通して担体流動槽Ｃへ汚水を送り込む。
【００２０】
担体流動槽では、送風機で散気管からエアを送り込んで、槽内をばっ気して担体ｎを流動させる。そして、それら担体ｎに付着した生物膜と汚水を接触させて、たとえば有機物の酸化分解やアンモニア体窒素の硝化を行って夾雑物を除去する。さらに、図２に示すように、その汚水を、下移送口２２ａから縦断通路２２を通して生物濾過槽Ｄの濾過槽部２４内へ移流して下向きに流し、濾過槽部２４内に充填した担体ｎで汚水を濾過して浮遊夾雑物を捕捉・処理し、槽底部分２４ａから処理水を処理水槽Ｅに移送し、その処理水の一部を貯留する一方、消毒槽Ｆに移送し、そこで滅菌して汚水の浄化を完了し、流出管１２から外部へ放流する。なお、処理水槽Ｅ内では、生物濾過槽Ｄにて濾過仕切れず運ばれた微細な汚泥が沈殿し、そのとき、その沈殿物をホッパ３３で槽底へ案内する。
【００２１】
ところで、この汚水処理浄化槽では、図示しないが、電気制御部でコントロールし、１日１回１０分間、定期的に前記送風機およびエアリフトポンプ４０等を作動して生物濾過槽Ｄ内の担体ｎを洗浄するようになっている。
【００２２】
この洗浄時は、上記送風機で逆洗管２９からエアを濾過槽部２４内に送り込み、ろ層を膨張させ、担体ｎと空気、担体同志の衝突を繰返し発生させて、捕捉した浮遊物質を剥離させる。同時に、エアリフトポンプ４０を作動して吸上げ管３０下端の吸水口３０ａから汚水を吸引し、図２，３中点線で矢示するように、濾過槽部２４内の汚水を、逆洗水移流口３５を通してさや管部２５内へ吸い上げて、生物濾過槽Ｄと処理水槽Ｅとの間で水位差を生じさせ、この水位差により処理水を濾過槽部２４内に引き込んで、濾過槽部２４内に、通常時とは逆の上向きの処理水による流れをつくる。そして、このきれいな処理水の流れで担体ｎを洗浄する。洗浄後の汚水は、逆洗水移流管３２を通して第１嫌気濾床槽Ａへと移送される。
【００２３】
なお、この逆洗時、処理水槽Ｅの槽底に沈殿した微細な沈殿物も、同様に、エアリフトポンプ４０で処理水とともに汲み上げて、逆洗水移流管３２を通して第１嫌気濾床槽Ａへ移送する。
【００２４】
【発明の効果】
したがって、請求項１に記載の発明によれば、担体を洗浄するときは、生物濾過槽と処理水槽との間で水位差を生じさせ、その水位差により処理水を生物濾過槽の担体を充填した濾過槽部内に導入し、処理完了前の汚水ではなく、きれいな処理後の水を使って担体を洗浄する構成とするため、それだけ担体の洗浄効果を向上させて、生物濾過槽の濾過性能を常に良好に維持することができる。
【００２５】
請求項２に記載の発明によれば、加えて、生物濾過槽を、浄化槽本体に対し着脱自在に取り付けて上下に出し入れ可能に構成するため、生物濾過槽を取り出して、その修理・点検などのメンテナンスを容易に行うことができる。
【００２６】
請求項３に記載の発明によれば、加えて、処理水槽に、生物濾過槽で捕捉・処理仕切れず槽内で沈殿する微細な夾雑物をホッパで槽底側へ案内し、担体の逆洗時に、この処理水槽の槽底に沈殿した微細な沈殿物を、処理水槽から吸い上げて、たとえば嫌気濾床槽へ移送できるようにすることができ、その結果、より安定した処理水を提供することができる。
【図面の簡単な説明】
【図１】  請求項１に記載の発明に係る汚水処理浄化槽の内部構成を示す正面概略構成図である。
【図２】  その汚水処理浄化槽の流出管側を拡大して示し、汚水の流れを説明する部分概略構成図である。
【図３】  その汚水処理浄化槽の構成を流出管側から見て示す側部概略構成図である。
【図４】  従来の汚水処理浄化槽の内部構成を示す正面概略構成図である。
【図５】  その汚水処理浄化槽の構成を流出管側から見て示す側部概略構成図である。
【符号の説明】
Ａ      第１嫌気濾床槽
Ｂ      第２嫌気濾床槽
Ｃ      担体流動槽
Ｄ      生物濾過槽
Ｅ      処理水槽
Ｆ      消毒槽
ｍ、ｎ  担体
１０    浄化槽本体
２４    濾過槽部
２５    さや管部
３０    吸上げ管
３０ａ  吸水口
３３    ホッパ
３５    逆洗水移流口
４０    エアリフトポンプ（ポンプ装置）
【図１】
0004251306.tif 000002
【図２】
0004251306.tif 000003
【図３】
0004251306.tif 000004
【図４】
0004251306.tif 000005
【図５】
0004251306.tif 000006